【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
ユーザ機器に宛てられたデータを受信することを備え、
より長いグローバルユーザ機器識別情報に対して前記ユーザ機器のための短い識別情報を決定することと、
前記短い識別情報に基づいてマスタ情報ブロック（ＭＩＢ）送信を識別することと、
前記短い識別情報に基づいて、前記ユーザ機器が前記データを受信するためにページについてリッスンすることを示すために前記ＭＩＢ送信のスロット内のビットをアクティブにすることと、
前記ＭＩＢをブロードキャストすることと
によって特徴付けられる、ワイヤレス通信システムにおけるページングの方法。
【請求項２】
前記短い識別情報と、前記ユーザ機器がいつページングチャネル上でページを受信することを予想することができるのかを示すページングウィンドウとの間の相関を含むシステム情報ブロック（ＳＩＢ）をブロードキャストすることをさらに備える、請求項１に記載の方法。
【請求項３】
前記スロットが、時間とともに異なることができ、前記ユーザ機器および前記ユーザ機器と通信している他のネットワークエンティティに以前から知られていない、請求項１に記載の方法。
【請求項４】
ユーザ機器に宛てられたデータを受信するための手段を備え、
より長いグローバルユーザ機器識別情報に対して前記ユーザ機器のための短い識別情報を決定するための手段と、
前記短い識別情報に基づいてマスタ情報ブロック（ＭＩＢ）送信を識別するための手段と、
前記短い識別情報に基づいて、前記ユーザ機器が前記データを受信するためにページについてリッスンすることを示すために前記ＭＩＢ送信のスロット内のビットをアクティブにするための手段と、
前記ＭＩＢをブロードキャストするための手段と
によって特徴付けられる、ワイヤレス通信システムにおいてページングするための装置。
【請求項５】
セルにキャンプオンされている間にアイドル状態に入ることを備え、
ページング指示についてマスタ情報ブロック（ＭＩＢ）のスロットを監視するために前記アイドル状態からウェイクアップすることと、ここにおいて、前記スロットが、動的に選択され、より長いグローバルユーザ機器識別情報に対してユーザ機器に関連付けられた短い識別情報に対応する、
前記ＭＩＢの前記監視スロットにおいて前記ページング指示を認識することと、
システム情報ブロック（ＳＩＢ）中の相関情報に基づいてページングウィンドウを決定することと、
前記ページングウィンドウ中にページについてリッスンするためにウェイクアップすることと
によって特徴付けられる、ワイヤレス通信システムにおいてページを受信する方法。
【請求項６】
セルにキャンプオンされている間にアイドル状態に入ることを決定するための手段を備え、
ページング指示についてマスタ情報ブロック（ＭＩＢ）のスロットを監視するために前記アイドル状態からウェイクアップするための手段と、ここにおいて、前記スロットが、動的に選択され、より長いグローバルユーザ機器識別情報に対してユーザ機器に関連付けられた短い識別情報に対応する、
前記監視スロットにおいてページング指示を認識するための手段と、
システム情報ブロック（ＳＩＢ）中の相関情報に基づいてページングウィンドウを決定するための手段と、
前記ページングウィンドウ中にページについてリッスンするためにウェイクアップするための手段と
によって特徴付けられる、ワイヤレス通信システムにおいてページを受信するための装置。
【請求項７】
ユーザ機器に宛てられたデータを受信することを備え、
前記ユーザ機器に対応するマスタ情報ブロック（ＭＩＢ）中のスロットを識別することと、ここにおいて、前記スロットが周期的または非周期である、
前記ユーザ機器が前記データを受信するためにページについてリッスンすることを示すために前記スロット内のビットをアクティブにすることと、
前記ＭＩＢをブロードキャストすることと
によって特徴付けられる、ワイヤレス通信システムにおけるページングの方法。
【請求項８】
前記スロットが平均してＴミリ秒ごとに生じ、ここで、Ｔが正数値である、請求項７に記載の方法。
【請求項９】
ページングオケージョン中に前記ユーザ機器について前記ページを送信することをさらに備え、ここにおいて、前記ページングオケージョンｋが、ｋ×Ｔ＋前記ユーザ機器および前記ユーザ機器と通信しているネットワークエンティティに知られている擬似乱数に基づいて生じる、請求項８に記載の方法。
【請求項１０】
ページングオケージョン中に前記ユーザ機器について前記ページを送信することをさらに備え、ここにおいて、ページングオケージョンが、前記ＭＩＢ中に含まれるシステムフレーム情報に基づいて前記ユーザ機器および前記ユーザ機器と通信しているネットワークエンティティによって決定される、請求項７に記載の方法。
【請求項１１】
前記スロットが、以前に構成され、前記ユーザ機器および前記ユーザ機器と通信しているネットワークエンティティに知られている、請求項７に記載の方法。
【請求項１２】
ユーザ機器に宛てられたデータを受信するための手段を備え、
前記ユーザ機器に対応するマスタ情報ブロック（ＭＩＢ）中のスロットを識別するための手段と、ここにおいて、前記スロットが周期的または非周期である、
前記ユーザ機器が前記データを受信するためにページについてリッスンすることを示すために前記スロット内のビットをアクティブにするための手段と、
前記ＭＩＢをブロードキャストするための手段と
によって特徴付けられる、ワイヤレス通信システムにおいてページングするための装置。
【請求項１３】
セルにキャンプオンされている間にアイドル状態に入ることを備え、
マスタ情報ブロック（ＭＩＢ）のスロットを監視するためにウェイクアップすることと、ここにおいて、前記スロットが周期的または非周期であり、前記ユーザ機器に対応する、
ページングオケージョンを決定することと、
前記ページングオケージョン中にページについてリッスンするためにウェイクアップすることと
によって特徴付けられる、ワイヤレス通信システムにおいてページを受信する方法。
【請求項１４】
セルにキャンプオンされている間にアイドル状態に入ることを決定するための手段を備え、
マスタ情報ブロック（ＭＩＢ）のスロットを監視するためにウェイクアップするための手段と、ここにおいて、前記スロットが周期的または非周期であり、前記ユーザ機器に対応する、
ページングオケージョンを決定するための手段と、
前記ページングオケージョン中にページについてリッスンするためにウェイクアップするための手段と
によって特徴付けられる、ワイヤレス通信システムにおいてページを受信するための装置。
【請求項１５】
実行されたとき、コンピュータに、請求項１乃至３、５、７乃至１１または１３のうちのいずれか一項に記載の方法を実行させる命令を備える、コンピュータプログラム。
【手続補正２】
【補正対象書類名】明細書
【補正対象項目名】０１２３
【補正方法】変更
【補正の内容】
【０１２３】
[00133]上記の開示では例示的な態様および／または例について論じたが、添付の特許請求の範囲によって定義される説明した態様および／または例の範囲から逸脱することなく、様々な変更および改変が本明細書で行われ得ることに留意されたい。さらに、説明した態様および／または例の要素は、単数形で説明または請求されていることがあるが、単数形への限定が明示的に述べられていない限り、複数形が企図される。さらに、態様および／または例の全部または一部は、別段に記載されていない限り、他の態様および／または例の全部または一部とともに利用され得る。
以下に、本願の出願当初の特許請求の範囲に記載された発明を付記する。
［Ｃ１］
ユーザ機器に宛てられたデータを受信することと、
より長いグローバルユーザ機器識別情報に対して前記ユーザ機器のための短い識別情報を決定することと、
前記短い識別情報に基づいてマスタ情報ブロック（ＭＩＢ）送信を識別することと、
前記短い識別情報に基づいて、前記ユーザ機器が前記データを受信するためにページについてリッスンすることを示すために前記ＭＩＢ送信のスロット内のビットをアクティブにすることと、
前記ＭＩＢをブロードキャストすることとを備える、ワイヤレス通信システムにおけるページングの方法。
［Ｃ２］
前記短い識別情報と、前記ユーザ機器がいつページングチャネル上でページを受信することを予想することができるのかを示すページングウィンドウとの間の相関を含むシステム情報ブロック（ＳＩＢ）をブロードキャストすることをさらに備える、Ｃ１に記載の方法。
［Ｃ３］
前記スロットが、時間とともに異なることができ、前記ユーザ機器および前記ユーザ機器と通信している他のネットワークエンティティに以前から知られていない、Ｃ１に記載の方法。
［Ｃ４］
ユーザ機器に宛てられたデータを受信するように実行可能なコードと、
より長いグローバルユーザ機器識別情報に対して前記ユーザ機器のための短い識別情報を決定するように実行可能なコードと、
前記短い識別情報に基づいてマスタ情報ブロック（ＭＩＢ）送信を識別するように実行可能なコードと、
前記短い識別情報に基づいて、前記ユーザ機器が前記データを受信するためにページについてリッスンすることを示すために前記ＭＩＢ送信のスロット内のビットをアクティブにするように実行可能なコードと、
前記ＭＩＢをブロードキャストするように実行可能なコードとを備える、ワイヤレス通信システムにおいてページングするためのコンピュータ実行可能コードを記憶したコンピュータ可読媒体。
［Ｃ５］
ユーザ機器に宛てられたデータを受信するための手段と、
より長いグローバルユーザ機器識別情報に対して前記ユーザ機器のための短い識別情報を決定するための手段と、
前記短い識別情報に基づいてマスタ情報ブロック（ＭＩＢ）送信を識別するための手段と、
前記短い識別情報に基づいて、前記ユーザ機器が前記データを受信するためにページについてリッスンすることを示すために前記ＭＩＢ送信のスロット内のビットをアクティブにするための手段と、
前記ＭＩＢをブロードキャストするための手段とを備える、ワイヤレス通信システムにおいてページングするための装置。
［Ｃ６］
少なくとも１つのメモリと、
前記メモリと通信しており、
ユーザ機器に宛てられたデータを受信することと、
より長いグローバルユーザ機器識別情報に対して前記ユーザ機器のための短い識別情報を決定することと、
前記短い識別情報に基づいてマスタ情報ブロック（ＭＩＢ）送信を識別することと、
前記短い識別情報に基づいて、前記ユーザ機器が前記データを受信するためにページについてリッスンすることを示すために前記ＭＩＢ送信のスロット内のビットをアクティブにすることと、
前記ＭＩＢをブロードキャストすることと
を行うように構成されたＬＴＥ−Ｕページング構成要素とを備える、ワイヤレス通信システムにおいてページングするための装置。
［Ｃ７］
前記ＬＴＥ−Ｕページング構成要素は、前記短い識別情報と、前記ユーザ機器がいつページングチャネル上でページを受信することを予想することができるのかを示すページングウィンドウとの間の相関を含むシステム情報ブロック（ＳＩＢ）をブロードキャストするようにさらに構成された、Ｃ６に記載の装置。
［Ｃ８］
前記スロットが、時間とともに異なることができ、前記ユーザ機器および前記ユーザ機器と通信している他のネットワークエンティティに以前から知られていない、Ｃ６に記載の装置。
［Ｃ９］
セルにキャンプオンされている間にアイドル状態に入ることと、
ページング指示についてマスタ情報ブロック（ＭＩＢ）のスロットを監視するために前記アイドル状態からウェイクアップすることと、ここにおいて、前記スロットが、動的に選択され、より長いグローバルユーザ機器識別情報に対してユーザ機器に関連付けられた短い識別情報に対応する、
前記ＭＩＢの前記監視スロットにおいて前記ページング指示を認識することと、
システム情報ブロック（ＳＩＢ）中の相関情報に基づいてページングウィンドウを決定することと、
前記ページングウィンドウ中にページについてリッスンするためにウェイクアップすることとを備える、ワイヤレス通信システムにおいてページを受信する方法。
［Ｃ１０］
前記スロットが前記短い識別情報に基づいて選択される、Ｃ９に記載の方法。
［Ｃ１１］
前記ＳＩＢが前記短い識別情報と前記ページングウィンドウとの間の相関を含む、Ｃ９に記載の方法。
［Ｃ１２］
前記ページング指示を認識することが、前記スロット内のビットがアクティブにされると決定することを含む、Ｃ９に記載の方法。
［Ｃ１３］
前記スロットが、時間とともに異なることができ、前記ユーザ機器および前記ユーザ機器と通信している他のネットワークエンティティに以前から知られていない、Ｃ９に記載の方法。
［Ｃ１４］
セルにキャンプオンされている間にアイドル状態に入るように実行可能なコードと、
ページング指示についてマスタ情報ブロック（ＭＩＢ）のスロットを監視するために前記アイドル状態からウェイクアップするように実行可能なコードと、ここにおいて、前記スロットが、動的に選択され、より長いグローバルユーザ機器識別情報に対してユーザ機器に関連付けられた短い識別情報に対応する、
前記監視スロットにおいて前記ページング指示を認識するように実行可能なコードと、
システム情報ブロック（ＳＩＢ）中の相関情報に基づいてページングウィンドウを決定するように実行可能なコードと、
前記ページングウィンドウ中にページについてリッスンするためにウェイクアップするように実行可能なコードと、を備える、ワイヤレス通信システムにおいてページを受信するためのコンピュータ実行可能コードを記憶したコンピュータ可読媒体。
［Ｃ１５］
セルにキャンプオンされている間にアイドル状態に入ることを決定するための手段と、
ページング指示についてマスタ情報ブロック（ＭＩＢ）のスロットを監視するために前記アイドル状態からウェイクアップするための手段と、ここにおいて、前記スロットが、動的に選択され、より長いグローバルユーザ機器識別情報に対してユーザ機器に関連付けられた短い識別情報に対応する、
前記監視スロットにおいてページング指示を認識するための手段と、
システム情報ブロック（ＳＩＢ）中の相関情報に基づいてページングウィンドウを決定するための手段と、
前記ページングウィンドウ中にページについてリッスンするためにウェイクアップするための手段とを備える、ワイヤレス通信システムにおいてページを受信するための装置。
［Ｃ１６］
セルにキャンプオンされている間にアイドル状態に入ることを決定することと、
ページング指示についてマスタ情報ブロック（ＭＩＢ）のスロットを監視するために前記アイドル状態からウェイクアップすることと、ここにおいて、前記スロットが、動的に選択され、より長いグローバルユーザ機器識別情報に対してユーザ機器に関連付けられた短い識別情報に対応する、
前記監視スロットにおいてページング指示を認識することと
を行うように構成されたＭＩＢウェイクアップ構成要素と、
システム情報ブロック（ＳＩＢ）中の相関情報に基づいてページングウィンドウを決定することと、
前記ページングウィンドウ中にページについてリッスンするためにウェイクアップすることと
を行うように構成されたページングウェイクアップ構成要素とを備える、ワイヤレス通信システムにおいてページを受信するための装置。
［Ｃ１７］
前記スロットが前記短い識別情報に基づいて選択される、Ｃ１６に記載の装置。
［Ｃ１８］
前記ＳＩＢが前記短い識別情報と前記ページングウィンドウとの間の相関を含む、Ｃ１６に記載の装置。
［Ｃ１９］
前記ページング指示を認識するために、前記ＭＩＢウェイクアップ構成要素は、前記スロット内のビットがアクティブにされると決定するようにさらに構成された、Ｃ１６に記載の装置。
［Ｃ２０］
前記スロットが、時間とともに異なることができ、前記ユーザ機器および前記ユーザ機器と通信している他のネットワークエンティティに以前から知られていない、Ｃ１６に記載の装置。
［Ｃ２１］
ユーザ機器に宛てられたデータを受信することと、
前記ユーザ機器に対応するマスタ情報ブロック（ＭＩＢ）中のスロットを識別することと、ここにおいて、前記スロットが周期的または非周期である、
前記ユーザ機器が前記データを受信するためにページについてリッスンすることを示すために前記スロット内のビットをアクティブにすることと、
前記ＭＩＢをブロードキャストすることとを備える、ワイヤレス通信システムにおけるページングの方法。
［Ｃ２２］
前記スロットが平均してＴミリ秒ごとに生じ、ここで、Ｔが正数値である、Ｃ２１に記載の方法。
［Ｃ２３］
ページングオケージョン中に前記ユーザ機器について前記ページを送信することをさらに備え、ここにおいて、前記ページングオケージョンｋが、ｋ×Ｔ＋前記ユーザ機器および前記ユーザ機器と通信しているネットワークエンティティに知られている擬似乱数に基づいて生じる、Ｃ２２に記載の方法。
［Ｃ２４］
ページングオケージョン中に前記ユーザ機器について前記ページを送信することをさらに備え、ここにおいて、ページングオケージョンが、前記ＭＩＢ中に含まれるシステムフレーム情報に基づいて前記ユーザ機器および前記ユーザ機器と通信しているネットワークエンティティによって決定される、Ｃ２１に記載の方法。
［Ｃ２５］
前記スロットが、以前に構成され、前記ユーザ機器および前記ユーザ機器と通信しているネットワークエンティティに知られている、Ｃ２１に記載の方法。
［Ｃ２６］
ユーザ機器に宛てられたデータを受信するように実行可能なコードと、
前記ユーザ機器に対応するマスタ情報ブロック（ＭＩＢ）中のスロットを識別するように実行可能なコードと、ここにおいて、前記スロットが周期的または非周期である、
前記ユーザ機器が前記データを受信するためにページについてリッスンすることを示すために前記スロット内のビットをアクティブにするように実行可能なコードと、
前記ＭＩＢをブロードキャストするように実行可能なコードとを備える、ワイヤレス通信システムにおいてページングするためのコンピュータ実行可能コードを記憶したコンピュータ可読媒体。
［Ｃ２７］
ユーザ機器に宛てられたデータを受信するための手段と、
前記ユーザ機器に対応するマスタ情報ブロック（ＭＩＢ）中のスロットを識別するための手段と、ここにおいて、前記スロットが周期的または非周期である、
前記ユーザ機器が前記データを受信するためにページについてリッスンすることを示すために前記スロット内のビットをアクティブにするための手段と、
前記ＭＩＢをブロードキャストするための手段とを備える、ワイヤレス通信システムにおいてページングするための装置。
［Ｃ２８］
少なくとも１つのメモリと、
前記メモリと通信しており、
ユーザ機器に宛てられたデータを受信することと、
前記ユーザ機器に対応するマスタ情報ブロック（ＭＩＢ）中のスロットを識別することと、ここにおいて、前記スロットが周期的または非周期である、
前記ユーザ機器が前記データを受信するためにページについてリッスンすることを示すために前記スロット内のビットをアクティブにすることと、
前記ＭＩＢをブロードキャストすることと
を行うように構成されたＬＴＥ−Ｕページング構成要素とを備える、ワイヤレス通信システムにおいてページングするための装置。
［Ｃ２９］
前記スロットが平均してＴミリ秒ごとに生じ、ここで、Ｔが正数値である、Ｃ２８に記載の装置。
［Ｃ３０］
前記ＬＴＥ−Ｕページング構成要素が、ページングオケージョン中に前記ユーザ機器について前記ページを送信するようにさらに構成され、ここにおいて、前記ページングオケージョンｋが、ｋ×Ｔ＋前記ユーザ機器および前記ユーザ機器と通信しているネットワークエンティティに知られている擬似乱数に基づいて生じる、Ｃ２９に記載の装置。
［Ｃ３１］
前記ＬＴＥ−Ｕページング構成要素が、ページングオケージョン中に前記ユーザ機器について前記ページを送信するようにさらに構成され、ここにおいて、前記ページングオケージョンｋが、前記ＭＩＢ中に含まれるシステムフレーム情報に基づいて前記ユーザ機器および前記ユーザ機器と通信しているネットワークエンティティによって決定される、Ｃ２８に記載の装置。
［Ｃ３２］
前記スロットが、以前に構成され、前記ユーザ機器および前記ユーザ機器と通信しているネットワークエンティティに知られている、Ｃ２８に記載の装置。
［Ｃ３３］
セルにキャンプオンされている間にアイドル状態に入ることと、
マスタ情報ブロック（ＭＩＢ）のスロットを監視するためにウェイクアップすることと、ここにおいて、前記スロットが周期的または非周期であり、前記ユーザ機器に対応する、
ページングオケージョンを決定することと、
前記ページングオケージョン中にページについてリッスンするためにウェイクアップすることとを備える、ワイヤレス通信システムにおいてページを受信する方法。
［Ｃ３４］
前記スロットが平均してＴミリ秒ごとに生じ、ここで、Ｔが正数値である、Ｃ３３に記載の方法。
［Ｃ３５］
前記ページングオケージョンを決定することが、ｋ×Ｔ＋前記ユーザ機器および前記ユーザ機器と通信しているネットワークエンティティに知られている擬似乱数に基づいてページングオケージョンｋを決定することを備える、Ｃ３４に記載の方法。
［Ｃ３６］
前記ページングオケージョンを決定することが、前記ＭＩＢ中に含まれるシステムフレーム情報に基づいて決定することを備える、Ｃ３３に記載の方法。
［Ｃ３７］
前記スロットが、以前に構成され、前記ユーザ機器および前記ユーザ機器と通信しているネットワークエンティティに知られている、Ｃ３３に記載の方法。
［Ｃ３８］
セルにキャンプオンされている間にアイドル状態に入ることを決定するように実行可能なコードと、
マスタ情報ブロック（ＭＩＢ）のスロットを監視するためにウェイクアップするように実行可能なコードと、ここにおいて、前記スロットが周期的または非周期であり、前記ユーザ機器に対応する、
ページングオケージョンを決定するように実行可能なコードと、
前記ページングオケージョン中にページについてリッスンするためにウェイクアップするように実行可能なコードとを備える、ワイヤレス通信システムにおいてページを受信するためのコンピュータ実行可能コードを記憶したコンピュータ可読媒体。
［Ｃ３９］
セルにキャンプオンされている間にアイドル状態に入ることを決定するための手段と、
マスタ情報ブロック（ＭＩＢ）のスロットを監視するためにウェイクアップするための手段と、ここにおいて、前記スロットが周期的または非周期であり、前記ユーザ機器に対応する、
ページングオケージョンを決定するための手段と、前記ページングオケージョン中にページについてリッスンするためにウェイクアップするための手段とを備える、ワイヤレス通信システムにおいてページを受信するための装置。
［Ｃ４０］
セルにキャンプオンされている間にアイドル状態に入ることを決定することと、
マスタ情報ブロック（ＭＩＢ）のスロットを監視するためにウェイクアップすることと、ここにおいて、前記スロットが周期的または非周期であり、前記ユーザ機器に対応する、
を行うように構成されたＭＩＢウェイクアップ構成要素と、
ページングオケージョンを決定することと、
前記ページングオケージョン中にページについてリッスンするためにウェイクアップすることと
を行うように構成されたページングウェイクアップ構成要素とを備える、ワイヤレス通信システムにおいてページを受信するための装置。
［Ｃ４１］
前記スロットが平均してＴミリ秒ごとに生じる、Ｃ４０に記載の装置。
［Ｃ４２］
前記ページングオケージョンを決定するために、前記ページングウェイクアップ構成要素が、ｋ×Ｔ＋前記ユーザ機器および前記ユーザ機器と通信しているネットワークエンティティに知られている擬似乱数に基づいてページングオケージョンｋを決定するようにさらに構成された、Ｃ４１に記載の装置。
［Ｃ４３］
前記ページングウェイクアップ構成要素が、前記ＭＩＢ中に含まれるシステムフレーム情報に基づいて前記ページングオケージョンを決定するようにさらに構成された、Ｃ４０に記載の装置。
［Ｃ４４］
前記スロットが、以前に構成され、前記ユーザ機器および前記ユーザ機器と通信しているネットワークエンティティに知られている、Ｃ４０に記載の装置。